【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
ユーザインタフェース制御装置であり、
ユーザの操作情報を入力する入力手段と、
前記入力手段からの入力情報に基づいて、表示部に表示する表示データの切り替え処理を実行する表示制御手段とを有し、
前記表示制御手段は、
前記入力手段からの上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを前記表示部に出力する制御を実行する構成を有することを特徴とするユーザインタフェース制御装置。
【請求項２】
前記データ集合は、前記異なるカテゴリのデータとして文章データ、写真データ、番組情報データの少なくともいずれかの組み合わせからなる記事データによって構成されたデータ集合であり、
前記表示制御手段は、
前記入力手段から入力する上下または左右ボタンを指定した入力情報に基づいて、特定の記事データを選択するとともに、該選択した記事データから表示対象のカテゴリデータとして文章データ、写真データ、番組情報データのいずれかを選択し、選択したデータを前記表示部に出力する制御を実行する構成を有することを特徴とする請求項１に記載のユーザインタフェース制御装置。
【請求項３】
前記表示制御手段は、
前記入力手段から入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する制御を実行する構成を有することを特徴とする請求項１に記載のユーザインタフェース制御装置。
【請求項４】
前記表示制御手段は、
予め指定された表示対象カテゴリに属するデータを含まない記事タイトルについてはスキップすることを示すアニメーション表示を行なう構成であることを特徴とする請求項３に記載のユーザインタフェース制御装置。
【請求項５】
前記表示制御手段は、
前記入力手段から入力する上下または左右ボタンを指定した入力情報に基づいて、データ集合の識別子としての記事タイトルのスクロール表示を実行するとともに、記事タイトルと異なる画面領域に表示されたカテゴリデータについても記事タイトルに連動したスクロール表示を実行する構成を有することを特徴とする請求項１に記載のユーザインタフェース制御装置。
【請求項６】
ユーザインタフェース制御方法であり、
ユーザの操作情報を入力する入力ステップと、
前記入力ステップにおける入力情報に基づいて表示部に表示する表示データの切り替え処理を実行する表示制御ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするユーザインタフェース制御方法。
【請求項７】
前記データ集合は、前記異なるカテゴリのデータとして文章データ、写真データ、番組情報データの少なくともいずれかの組み合わせからなる記事データによって構成されたデータ集合であり、
前記表示制御ステップは、
前記入力ステップにおいて入力する上下または左右ボタンを指定した入力情報に基づいて、特定の記事データを選択するとともに、該選択した記事データから表示対象のカテゴリデータとして文章データ、写真データ、番組情報データのいずれかを選択し、選択したデータを表示部に出力する制御を実行することを特徴とする請求項６に記載のユーザインタフェース制御方法。
【請求項８】
前記表示制御ステップは、
前記入力ステップにおいて入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する制御を実行することを特徴とする請求項６に記載のユーザインタフェース制御方法。
【請求項９】
前記表示制御ステップは、
予め指定された表示対象カテゴリに属するデータを含まない記事タイトルについてはスキップすることを示すアニメーション表示を行なうステップを含むことを特徴とする請求項８に記載のユーザインタフェース制御方法。
【請求項１０】
前記表示制御ステップは、
前記入力ステップにおいて入力する上下または左右ボタンを指定した入力情報に基づいて、データ集合の識別子としての記事タイトルのスクロール表示を実行するとともに、記事タイトルと異なる画面領域に表示されたカテゴリデータについても記事タイトルに連動したスクロール表示を実行することを特徴とする請求項６に記載のユーザインタフェース制御方法。
【請求項１１】
ユーザインタフェース制御を実行するコンピュータ・プログラムであり、
ユーザの操作情報を入力する入力ステップと、
前記入力ステップにおける入力情報に基づいて、表示部に表示する表示データの切り替え処理を実行する表示制御ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするコンピュータ・プログラム。
【手続補正２】
【補正対象書類名】明細書
【補正対象項目名】０００９
【補正方法】変更
【補正の内容】
【０００９】
本発明の第１の側面は、
ユーザインタフェース制御装置であり、
ユーザの操作情報を入力する入力手段と、
前記入力手段からの入力情報に基づいて、表示部に表示する表示データの切り替え処理を実行する表示制御手段とを有し、
前記表示制御手段は、
前記入力手段からの上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを前記表示部に出力する制御を実行する構成を有することを特徴とするユーザインタフェース制御装置にある。
【手続補正３】
【補正対象書類名】明細書
【補正対象項目名】００１０
【補正方法】変更
【補正の内容】
【００１０】
さらに、本発明のユーザインタフェース制御装置の一実施態様において、前記データ集合は、前記異なるカテゴリのデータとして文章データ、写真データ、番組情報データの少なくともいずれかの組み合わせからなる記事データによって構成されたデータ集合であり、前記表示制御手段は、前記入力手段から入力する上下または左右ボタンを指定した入力情報に基づいて、特定の記事データを選択するとともに、該選択した記事データから表示対象のカテゴリデータとして文章データ、写真データ、番組情報データのいずれかを選択し、選択したデータを前記表示部に出力する制御を実行する構成を有することを特徴とする。
【手続補正４】
【補正対象書類名】明細書
【補正対象項目名】００１１
【補正方法】変更
【補正の内容】
【００１１】
さらに、本発明のユーザインタフェース制御装置の一実施態様において、前記表示制御手段は、前記入力手段から入力する上下または左右ボタンを指定した入力情報に基づいて、データ集合の識別子としての記事タイトルのスクロール表示を実行するとともに、該スクロール表示において、予め指定された表示対象カテゴリに属するデータを含む記事タイトルと、含まない記事タイトルとの表示態様を変更して表示する制御を実行する構成を有することを特徴とする。
【手続補正５】
【補正対象書類名】明細書
【補正対象項目名】００１２
【補正方法】変更
【補正の内容】
【００１２】
さらに、本発明のユーザインタフェース制御装置の一実施態様において、前記表示制御手段は、予め指定された表示対象カテゴリに属するデータを含まない記事タイトルについてはスキップすることを示すアニメーション表示を行なう構成であることを特徴とする。
【手続補正６】
【補正対象書類名】明細書
【補正対象項目名】００１３
【補正方法】変更
【補正の内容】
【００１３】
さらに、本発明のユーザインタフェース制御装置の一実施態様において、前記表示制御手段は、前記入力手段から入力する上下または左右ボタンを指定した入力情報に基づいて、データ集合の識別子としての記事タイトルのスクロール表示を実行するとともに、記事タイトルと異なる画面領域に表示されたカテゴリデータについても記事タイトルに連動したスクロール表示を実行する構成を有することを特徴とする。
【手続補正７】
【補正対象書類名】明細書
【補正対象項目名】００１４
【補正方法】変更
【補正の内容】
【００１４】
さらに、本発明の第２の側面は、
ユーザインタフェース制御方法であり、
ユーザの操作情報を入力する入力ステップと、
前記入力ステップにおける入力情報に基づいて表示部に表示する表示データの切り替え処理を実行する表示制御ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするユーザインタフェース制御方法にある。
【手続補正８】
【補正対象書類名】明細書
【補正対象項目名】００１９
【補正方法】変更
【補正の内容】
【００１９】
さらに、本発明の第３の側面は、
ユーザインタフェース制御を実行するコンピュータ・プログラムであり、
ユーザの操作情報を入力する入力ステップと、
前記入力ステップにおける入力情報に基づいて、表示部に表示する表示データの切り替え処理を実行する表示制御ステップとを有し、
前記表示制御ステップは、
前記入力ステップにおいて入力される上下または左右ボタンを指定した入力情報に基づいて、異なるカテゴリのデータを含むデータ集合から表示対象となるからデータ集合を選択するとともに該選択データ集合から表示対象のカテゴリデータを選択し、選択したカテゴリデータを表示部に出力する制御を実行するステップを含むことを特徴とするコンピュータ・プログラムにある。